(57)【特許請求の範囲】
【請求項１】
光ディスクに形成されたアンリーダブルエンボス部を含む記録領域におけるランドプリピット信号のエラー数をカウントするエラーカウント装置であって、
前記光ディスクを再生する再生手段と、
前記再生手段の出力に基づき、前記ランドプリピット信号のエラー数をカウントするカウント手段と、
前記再生手段が前記アンリーダブルエンボス部の再生に至ったことを検出するアンリーダブルエンボス部検出手段と、
前記アンリーダブルエンボス部検出手段の出力に応じて、前記カウント手段によるカウント動作を開始させるカウント開始制御手段と、
前記カウント動作の開始後、前記再生手段が前記光ディスクを所定区間再生したことを検出する所定区間検出手段と、
前記所定区間検出手段の出力に応じて、前記カウント手段によるカウント動作を停止させるカウント停止制御手段と、
を備えてなることを特徴とするエラーカウント装置。
【請求項２】
前記アンリーダブルエンボス部検出手段は、前記再生手段の出力中に含まれるアドレスを検出して、前記再生手段が前記アンリーダブルエンボス部の再生に至ったことを検出することを特徴とする請求項１に記載のエラーカウント装置。
【請求項３】
前記所定区間検出手段は、前記再生手段の出力に基づくランドプリピット信号をデコード処理するデコード手段から出力されるパルス信号のカウント値に基づき、前記再生手段が前記光ディスクを所定区間再生したことを検出することを特徴とする請求項１に記載のエラーカウント装置。
【請求項４】
更に、前記カウント手段のカウント値に基づき、前記所定区間における前記ランドプリピット信号のエラーレートを表示する表示手段を備えてなることを特徴とする請求項１ないし３のいずれか１項に記載のエラーカウント装置。
【請求項５】
光ディスクに形成されたアンリーダブルエンボス部を含む記録領域におけるランドプリピット信号のエラー数をカウントするエラーカウント方法であって、前記光ディスクを再生する再生手段と、
前記再生手段の出力に基づき、前記ランドプリピット信号のエラー数をカウントするカウント手段とを設け、前記再生手段が前記アンリーダブルエンボス部の再生に至ったことを検出し、この検出に応じて、前記カウント手段によるカウント動作を開始させ、前記カウント動作の開始後、前記再生手段が前記光ディスクを所定区間再生したことを検出し、この検出に応じて、前記カウント手段によるカウント動作を停止させることを特徴とするエラーカウント方法。
【請求項６】
前記再生手段が前記アンリーダブルエンボス部の再生に至ったことの検出は、前記再生手段の出力中に含まれるアドレスを検出して行うことを特徴とする請求項５に記載のエラーカウント方法。
【請求項７】
前記再生手段が前記光ディスクを所定区間再生したことの検出は、前記再生手段の出力に基づくランドプリピット信号をデコード処理するデコード手段から出力されるパルス信号のカウント値に基づき行うことを特徴とする請求項５に記載のエラーカウント方法。
【請求項８】
前記カウント手段によるカウント動作の停止に続いて、更に、前記カウント手段のカウント値に基づき、前記所定区間における前記ランドプリピット信号のエラーレートを表示することを特徴とする請求項５ないし７のいずれか１項に記載のエラーカウント方法。
【発明の詳細な説明】
【０００１】
【発明の属する技術分野】
本発明は、光ディスクに形成されたエンボス部を含む記録領域におけるプリピット信号のエラー数をカウントするエラーカウント装置および方法に関する。
【０００２】
【従来の技術】
従来より、光ディスクの一例としてＤＶＤ−ＲＷ（Digital Versatile Disc−Re-recordable）ディスクが知られている。このＤＶＤ−ＲＷディスクにおいて、データエリアに先行してリードインエリアが設けられており、該リードインエリアにはコントロールデータゾーンが設けられている。このコントロールデータゾーンは、１７６個のコントロールデータブロックと１６個のサーボブロックとからなる１９２個のＥＣＣ（Error Correction Code）ブロックにより構成されている。コントロールデータブロックは、コントロールデータが深いエンボスピット（リーダブルエンボス）により記録されており、コントロールデータの読み出しが可能であり、またその書き換えは不可能である。一方、サーボブロックは、後述するようにコントロールデータの書き換えを禁止した状態にてランドプリピットの読み出しを可能とするため、浅いエンボスピット（アンリーダブルエンボス）が記録されている。なお、詳細については、本出願人の出願に係る平成１２年３月２１日出願の特許願２０００−７８１０２の記載を参照されたい。
【０００３】
一方、ランドトラック上には、ディスク上のアドレス等を示すランドプリピット（ＬＰＰ）信号が記録されている。但し、上述した１７６個のコントロールデータブロックに対応するランドトラックには、コントロールデータの読み出しを妨げてしまうため、ランドプリピット信号は記録されていないが、１６個のサーボブロックに対応するランドトラックには、引き続くデータエリアに対するアドレスが得られるように、ランドプリピット信号が記録されている。
【０００４】
ところで、この１６個のサーボブロックにおけるランドプリピット信号の検出時には、ＤＶＤ−ＲＷフォーマットにおいては３％以下のエラーレートを満足することが義務付けられている。従って、ディスク製造者はこのアンリーダブルエンボス部におけるエラーレートを測定する必要があり、従来はプリピット信号デコーダから出力されるプリピットエラーパルス信号（エラー数を示すもの）とＥＣＣブロックパルス信号（ブロック数を示すもの）をそれぞれ専用のカウンタに供給し、各カウンタのカウント値を単に目視で読み取りエラーレートを演算し、かかるディスクが規格を満足するものであるか否かを判断していた。
【０００５】
【発明が解決しようとする課題】
しかしながら、アンリーダブルエンボス部は１６個のＥＣＣブロック(サーボブロック)により構成されており非常に短い上、その前に存在するリーダブルエンボス部にはランドプリピット信号が記録されていないことから、リーダブルエンボス部を再生している期間中、プリピット信号デコーダからは常にプリピットエラーパルス信号が出力されてしまい、アンリーダブルエンボス部の先頭からのエラー数を正確にカウントすることは非常に困難であった。また、再生出力であるＲＦ信号をオシロスコープ等で目視することによってエラーを検出することも可能であるが、これには高度な熟練が必要であり、ディスク製造工程で行うのは困難であった。
【０００６】
本発明は、このような実情に鑑みて為されたものであり、アンリーダブルエンボス部におけるランドプリピット信号のエラー数を正確にカウントすることができるようなエラーカウント装置および方法を提供することを目的としている。
【０００７】
【課題を解決するための手段】
上述した目的を達成するため、第１に、本発明のエラーカウント装置は、光ディスクに形成されたアンリーダブルエンボス部を含む記録領域におけるランドプリピット信号のエラー数をカウントするエラーカウント装置であって、前記光ディスクを再生する再生手段と、前記再生手段の出力に基づき、前記ランドプリピット信号のエラー数をカウントするカウント手段と、前記再生手段が前記アンリーダブルエンボス部の再生に至ったことを検出するアンリーダブルエンボス部検出手段と、前記アンリーダブルエンボス部検出手段の出力に応じて、前記カウント手段によるカウント動作を開始させるカウント開始制御手段と、前記カウント動作の開始後、前記再生手段が前記光ディスクを所定区間再生したことを検出する所定区間検出手段と、前記所定区間検出手段の出力に応じて、前記カウント手段によるカウント動作を停止させるカウント停止制御手段と、を備えてなることを特徴としている。
【０００８】
このようなエラーカウント装置によれば、アンリーダブルエンボス部を含む記録領域におけるランドプリピット信号のエラー数を正確にカウントすることができる。
【０００９】
第２に、本発明のエラーカウント装置は、前記第１に記載のエラーカウント装置において、前記アンリーダブルエンボス部検出手段は、前記再生手段の出力中に含まれるアドレスを検出して、前記再生手段が前記アンリーダブルエンボス部の再生に至ったことを検出することを特徴としている。
【００１０】
このようなエラーカウント装置によれば、アンリーダブルエンボス部を正確に検出することができ、アンリーダブルエンボス部を含む記録領域におけるランドプリピット信号のエラー数を正確にカウントすることができる。
【００１１】
第３に、本発明のエラーカウント装置は、前記第１に記載のエラーカウント装置において、前記所定区間検出手段は、前記再生手段の出力に基づくランドプリピット信号をデコード処理するデコード手段から出力されるパルス信号のカウント値に基づき、前記再生手段が前記光ディスクを所定区間再生したことを検出することを特徴としている。
【００１２】
このようなエラーカウント装置によれば、所定区間を正確に検出することができ、アンリーダブルエンボス部を含む記録領域におけるランドプリピット信号のエラー数を正確にカウントすることができる。
【００１３】
第４に、本発明のエラーカウント装置は、前記第１ないし第３のいずれか１に記載のエラーカウント装置において、更に、前記カウント手段のカウント値に基づき、前記所定区間における前記ランドプリピット信号のエラーレートを表示する表示手段を備えてなることを特徴としている。
【００１４】
このようなエラーカウント装置によれば、アンリーダブルエンボス部を含む記録領域におけるランドプリピット信号のエラー数を正確にカウントすることができ、正確なエラーレートを表示することができる。
【００１５】
第５に、本発明のエラーカウント方法は、光ディスクに形成されたアンリーダブルエンボス部を含む記録領域におけるランドプリピット信号のエラー数をカウントするエラーカウント方法であって、前記光ディスクを再生する再生手段と、前記再生手段の出力に基づき、前記ランドプリピット信号のエラー数をカウントするカウント手段とを設け、前記再生手段が前記アンリーダブルエンボス部の再生に至ったことを検出し、この検出に応じて、前記カウント手段によるカウント動作を開始させ、前記カウント動作の開始後、前記再生手段が前記光ディスクを所定区間再生したことを検出し、この検出に応じて、前記カウント手段によるカウント動作を停止させることを特徴としている。
【００１６】
このようなエラーカウント方法によれば、アンリーダブルエンボス部を含む記録領域におけるランドプリピット信号のエラー数を正確にカウントすることができる。
【００１７】
第６に、本発明のエラーカウント方法は、前記第５に記載のエラーカウント方法において、前記再生手段が前記アンリーダブルエンボス部の再生に至ったことの検出は、前記再生手段の出力中に含まれるアドレスを検出して行うことを特徴としている。
【００１８】
このようなエラーカウント方法によれば、アンリーダブルエンボス部を正確に検出することができ、アンリーダブルエンボス部を含む記録領域におけるランドプリピット信号のエラー数を正確にカウントすることができる。
【００１９】
第７に、本発明のエラーカウント方法は、前記第５に記載のエラーカウント方法において、前記再生手段が前記光ディスクを所定区間再生したことの検出は、前記再生手段の出力に基づくランドプリピット信号をデコード処理するデコード手段から出力されるパルス信号のカウント値に基づき行うことを特徴としている。
【００２０】
このようなエラーカウント方法によれば、所定区間を正確に検出することができ、アンリーダブルエンボス部を含む記録領域におけるランドプリピット信号のエラー数を正確にカウントすることができる。
【００２１】
第８に、本発明のエラーカウント方法は、前記第５ないし第７のいずれか１に記載のエラーカウント方法において、前記カウント手段によるカウント動作の停止に続いて、更に、前記カウント手段のカウント値に基づき、前記所定区間における前記ランドプリピット信号のエラーレートを表示することを特徴としている。
【００２２】
このようなエラーカウント方法によれば、アンリーダブルエンボス部を含む記録領域におけるランドプリピット信号のエラー数を正確にカウントすることができ、正確なエラーレートを表示することができる。
【００２３】
【発明の実施の形態】
以下、本発明の一実施形態について図面を参照しながら詳細に説明する。
【００２４】
まず、ＤＶＤ−ＲＷディスクの記録フォーマットについて説明する。図１において、ＤＶＤ−ＲＷディスク１には、内周側から外周側に向って、レーザーパワーを調整するためのパワーキャリブレーションエリア（ＰＣＡ）２と、最適レーザーパワー等を記録するためのレコーディングマネージメントエリア（ＲＭＡ）３と、情報等を記録するための情報エリア４とが順に設けられている。情報エリア４は、リードインエリア５と、データエリア６と、リードアウトエリア７とからなっている。なお、リードアウトエリア７は、データエリア６が形成された後、記録終端位置を示すべくデータエリア６の外周側に形成される。
【００２５】
上述したリードインエリア５は、図２に示すように、イニシャルゾーン５１と、バッファゾーン（０）５２と、ＲＷフィジカルフォーマットインフォメーションゾーン５３と、リファレンスコードゾーン５４と、バッファゾーン（１）５５と、コントロールデータゾーン５６と、エキストラボーダゾーン５７とからなっている。更に、コントロールデータゾーン５６は、１７６個のコントロールデータブロック５６１と、１６個のサーボブロック５６２とからなる１９２個のＥＣＣブロックにより構成されている。コントロールデータブロック５６１には、各ＥＣＣブロックを構成するコントロールデータが、その読み出しを可能とするように深い（略８０ｎｍ）リーダブルエンボスとして１７６回繰り返し記録されている。サーボブロック５６２には、このゾーンへの書き込み／読み出しを妨げるように読み出し不可能なアンリーダブルエンボスが、後述するグルーブトラック１４（図３参照）と同じ深さ（略２０〜３０ｎｍ）で記録されている。
【００２６】
一方、ランドトラック上には、ＤＶＤ−ＲＷディスク１上のアドレス等を示すランドプリピット（ＬＰＰ）信号が記録されている。但し、上述した１７６個のコントロールデータブロック５６１に対応するランドトラックには、コントロールデータの読み出しを妨げてしまうため、ランドプリピット信号は記録されていないが、１６個のサーボブロック５６２に対応するランドトラックには、引き続くデータエリア６に対するアドレスが得られるように、ランドプリピット信号が記録されている。
【００２７】
なお、各ＥＣＣブロックは、図２に示すように、エンボス化フィジカルフォーマットインフォメーション５６３と、ディスクマニュファクチャリングインフォメーション５６４と、リザーブドフォーシステムユース５６５とにより構成されている。
【００２８】
図３は、上述した１６個のサーボブロック５６２（アンリーダブルエンボス部）とその後に続くリンキングロスエリア６０１（図２参照）との境界付近におけるＤＶＤ−ＲＷディスク１の構造を示す拡大図である。図３において、サーボブロック５６２には、上述したように、アンリーダブルエンボス１１が形成されているとともに、ランドトラック１２上にランドプリピット信号に対応するランドプリピット１３が形成されている。一方、リンキングロスエリア６０１には、グルーブトラック１４が連続して形成されているとともに、ランドトラック１２上にランドプリピット信号に対応するランドプリピット１３が形成されている。
【００２９】
次に、本発明の一実施形態にかかるエラーカウント装置の構成を説明する。図４において、スピンドルモータ２１はＤＶＤ−ＲＷディスク１を所定の速度で回転駆動するものであり、ピックアップ２２はこのスピンドルモータ２１により回転駆動されているＤＶＤ−ＲＷディスク１をレーザビームＬＢ（図３参照）により再生し再生信号ＳＲＰを出力するものである（図３参照）。ピックアップ２２は、この再生信号ＳＲＰを増幅し増幅信号ＳＡＭとして出力するとともに、該再生信号ＳＲＰに基づき再生ランドプリピット信号ＳＰＰおよびフォーカス／トラッキングエラー信号ＳＥＲを生成して出力する再生増幅器２３に接続されている。この再生増幅器２３は、増幅信号ＳＡＭに所定のデコード処理を施し復調信号ＳＤＭとして出力するデコーダ２４に接続されている。また、再生増幅器２３は、再生ランドプリピット信号ＳＰＰに所定のデコード処理を施し復調ランドプリピット信号ＳＰＤとして出力するとともに、プリピットエラーパルス信号ＳＥＰおよびＥＣＣブロックパルス信号ＳＢＰを生成して出力するプリピット信号デコーダ２５に、バンドパスフィルタ（ＢＰＦ）２６を介して接続されている。詳述すると、プリピット信号デコーダ２５は、各ＥＣＣブロック中に含まれる再生ランドプリピット信号ＳＰＰにエラーを１つ以上検出するとプリピットエラーパルス信号ＳＥＰを１パルス出力するとともに、各ＥＣＣブロック毎にＥＣＣブロックパルス信号ＳＢＰを１パルス出力するものである。更に、再生増幅器２３は、フォーカス／トラキングエラー信号ＳＥＲおよび後述するプロセッサ２８からの制御信号ＳＣ３に基づき、スピンドルサーボ制御信号ＳＳＳを生成しスピンドルモータ２１に供給するとともに、ピックアップサーボ信号ＳＳＰを生成しピックアップ２２に供給するサーボ回路２７に接続されている。
【００３０】
デコーダ２４は、復調信号ＳＤＭ等を受けて装置全体の動作制御を行うプロセッサ（ＣＰＵ）２８に接続されている。一方、プリピット信号デコーダ２５は、このプロセッサ２８に接続されているとともに、プロセッサ２８からの制御信号ＳＣ１に基づきプリピットエラーパルス信号ＳＥＰのパルス数をカウントするエラーカウンタ２９およびプロセッサ２８からの制御信号ＳＣ２に基づきＥＣＣブロックパルス信号ＳＢＰのパルス数をカウントするＥＣＣブロックカウンタ３０にそれぞれ接続されている。これらのエラーカウンタ２９およびＥＣＣブロックカウンタ３０は、それぞれカウント値ＣＥおよびＣＢを供給すべくプロセッサ２８に接続されている。このプロセッサ２８は、該プロセッサ２８からの制御信号ＳＣ３を受けて動作するサーボ回路２７に接続されているとともに、エラーカウンタ２９のカウント値ＣＥおよびＥＣＣブロックカウンタ３０のカウント値ＣＢに基づき該プロセッサ２８により演算されたアンリーダブルエンボス部におけるランドプリピット信号のエラーレートを表示する表示器３１に接続されている。
【００３１】
上述したプロセッサ２８は、図５に示すような動作制御を行う。すなわち、まず、プロセッサ２８は、エラーカウンタ２９およびＥＣＣブロックカウンタ３０をそれぞれリセットし（ステップＳ１０１）、ピックアップ２２等によるＤＶＤ−ＲＷディスク１の再生動作を開始する（ステップＳ１０２）。次に、デコーダ２４から供給される復調信号ＳＤＭに含まれているＥＣＣブロックのアドレスを監視し、ピックアップ２２がアンリーダブルエンボス部（１６個のサーボブロック）の再生に至ったか否かを検出する（ステップＳ１０３）。アンリーダブルエンボス部の再生に至ると、エラーカウンタ２９およびＥＣＣブロックカウンタ３０のそれぞれにカウント動作を開始させる（ステップＳ１０４）。次に、カウント動作の開始後、ＤＶＤ−ＲＷディスク１を所定区間再生したか否か、本実施形態では、ＥＣＣブロックカウンタ３０のカウント値ＣＢがＥＣＣブロック１００個分に相当する値「１００」になったか否かを検出する（ステップＳ１０５）。ＥＣＣブロックカウンタ３０のカウント値ＣＢが「１００」になると、エラーカウンタ２９およびＥＣＣブロックカウンタ３０のそれぞれにカウント動作を停止させ（ステップＳ１０６）、ＤＶＤ−ＲＷディスク１の再生動作を停止する（ステップＳ１０７）。そして、エラーカウンタ２９のカウント値ＣＥおよびＥＣＣブロックカウンタ３０のカウント値ＣＢに基づき、アンリーダブルエンボス部におけるランドプリピット信号のエラーレートを演算し、表示器３１に表示させる（ステップＳ１０８）。
【００３２】
このように、本実施形態にかかるエラーカウント装置では、ＤＶＤ−ＲＷディスク１の再生開始後、ピックアップ２２が１６個のサーボブロックに相当するアンリーダブルエンボス部の再生に至ったことを検出し、この検出に応じてエラーカウンタ２９およびＥＣＣブロックカウンタ３０による各カウント動作を開始させ、その後、ＤＶＤ−ＲＷディスク１を所定区間再生したことを検出し、この検出に応じてエラーカウンタ２９およびＥＣＣブロックカウンタ３０による各カウント動作を停止させるようにしている。従って、アンリーダブルエンボス部を含む記録領域におけるランドプリピット信号のエラー数を正確にカウントすることができる。
【００３３】
なお、本実施形態では、デコーダ２４から供給される復調信号ＳＤＭに含まれているＥＣＣブロックのアドレスを監視してアンリーダブルエンボス部の再生に至ったか否かを検出しているが、この検出は増幅信号ＳＡＭの振幅レベルを監視したり、ランドプリピット信号の有無を監視することにより行うようにしてもよい。
【００３４】
また、本実施形態では、ＥＣＣブロックカウンタ３０のカウント値ＣＢが「１００」になると、エラーカウンタ２９およびＥＣＣブロックカウンタ３０の各カウント動作を停止させているが、所定時間でエラーカウンタ２９およびＥＣＣブロックカウンタ３０の各カウント動作を停止させ、エラーカウンタ２９のカウント値ＣＥおよびＥＣＣブロックカウンタ３０のカウント値ＣＢに基づき、ランドプリピット信号のエラーレートを演算するようにしてもよい。
【００３５】
【発明の効果】
上述した説明から明らかなように、本発明によれば、エンボス部（アンリーダブルエンボス部）を含む記録領域におけるプリピット信号（ランドプリピット信号）のエラー数を正確にカウントすることができる。
【図面の簡単な説明】
【図１】ＤＶＤ−ＲＷディスクの記録フォーマットを示す図である。
【図２】リードインエリアの詳細フォーマットを示す図である。
【図３】１６個のサーボブロック（アンリーダブルエンボス部）とその後に続くリンキングロスエリアとの境界付近におけるＤＶＤ−ＲＷディスクの構造を示す拡大図である。
【図４】本発明の一実施形態にかかるエラーカウント装置の構成を示すブロック図である。
【図５】図４に示したエラーカウント装置におけるプロセッサによる動作制御を説明するためのフローチャートである。
【符号の説明】
１    ＤＶＤ−ＲＷディスク
２２  ピックアップ
２４  デコーダ
２５  プリピット信号デコーダ
２８  プロセッサ
２９  エラーカウンタ
３０  ＥＣＣブロックカウンタ
３１  表示器
【図１】
0004289534.tif 000002
【図２】
0004289534.tif 000003
【図３】
0004289534.tif 000004
【図４】
0004289534.tif 000005
【図５】
0004289534.tif 000006